(57)【特許請求の範囲】
【請求項１】
薬剤が収容されると共に薬剤識別部を備えた複数の薬剤容器をそれぞれ収納する薬剤収納棚と、
処方データに含まれる薬剤を、前記薬剤容器から供給する薬剤供給手段と、
該薬剤供給手段から供給される薬剤を包装する薬剤包装手段と、
前記薬剤容器の薬剤識別部から薬剤データを読み取る読取手段と、
前記薬剤容器の収納場所を探査する収納場所探査手段と、
前記読取手段により読み取った薬剤データ、及び、前記収納場所探査手段により探査した収納場所を記憶する記憶手段と、
前記薬剤容器の配列に対応させた複数の領域からなる配列画面を表示する表示手段と、
前記記憶手段に記憶した薬剤データおよび収納場所に基づいて、前記表示手段に表示させた配列画面の各領域に対応する薬剤名称を割り当てて表示させる制御手段と、
を備え、
前記制御手段は、前記表示手段に配列画面を表示した状態で、薬剤名称が表示された領域を操作することにより、前記配列画面とは別に薬剤数入力画面を表示させ、該薬剤数入力画面での操作により、服用時期及び服用量からなる用法データの入力を可能とすることを特徴とする薬剤包装装置。
【請求項２】
処方データが入力されることにより、前記表示手段に表示した配列画面の各領域のうち、供給処理の対象となる薬剤が収容された薬剤容器に対応する領域を強調表示したことを特徴とする請求項１に記載の薬剤包装装置。
【請求項３】
前記表示手段に表示した配列画面の各領域には、薬剤名称を表示する領域のほかに、前記用法入力手段によって入力された用法を表示する服用データ欄を表示可能とし、
前記制御手段は、前記服用データ欄に、前記用法入力手段により入力された用法データを表示させることを特徴とする請求項１又は２に記載の薬剤包装装置。
【請求項４】
前記記憶手段は、既に処方済みの処方データを記憶し、
ある患者の処方データが前記記憶手段に記憶させた処方データと同一であれば、前記記憶手段に記憶させた処方データを再利用可能としたことを特徴とする請求項１に記載の薬剤包装装置。
【請求項５】
前記表示手段に表示する前記錠剤数入力画面には、前記用法データ以外の服用時期の入力ができない表示としたことを特徴とする請求項２に記載の薬剤包装装置。
【請求項６】
前記収納場所探査手段により、前記薬剤収納棚に薬剤容器を取り付け又は取り外した状態を検出し、
前記表示手段は、該当する薬剤容器に対応する領域の薬剤名称を表示又は消去することを特徴とする請求項１に記載の薬剤包装装置。
【請求項７】
前記収納場所探査手段によって該当する薬剤が収容された薬剤容器を検出できない場合、前記表示手段は、前記配列画面とは別に、他の薬剤名称を選択可能に表示させることを特徴とする請求項１に記載の薬剤包装装置。
【請求項８】
処方データに用法パターンが同一の薬剤データが複数含まれる場合、前記表示手段に表示する配列画面のうち、該当する薬剤が収容された薬剤容器に対応する全領域を他の領域と識別可能に表示し、かつ、前記配列画面とは別に表示した錠数入力キーにより、前記同一の用法パターンを一度に変更可能としたことを特徴とする請求項１に記載の薬剤包装装置。
【請求項９】
前記薬剤収納棚に薬剤容器が着脱されると、前記表示手段に、前記配列画面を優先表示させるようにしたことを特徴とする請求項１に記載の薬剤包装装置。
【請求項１０】
前記記憶手段に記憶した薬剤データから算出した薬剤の使用期限に基づいて、前記表示手段に警告表示可能としたことを特徴とする請求項１に記載の薬剤包装装置。
【請求項１１】
前記表示手段に、処方データに含まれる未包装の薬剤に対応する全領域を強調表示させることを特徴とする請求項１に記載の薬剤包装装置。
【請求項１２】
前記薬剤収納棚とは別に交換薬剤容器保管棚を設け、
前記薬剤収納棚に収納される薬剤容器のうち、処方データに含まれる未包装の薬剤が収容されたものを除いて、前記交換薬剤容器保管棚に近い順に交換可能な場所を前記表示手段に表示させることを特徴とする請求項１に記載の薬剤包装装置。
【請求項１３】
前記薬剤収納棚は、予め薬剤容器に収容される薬剤の種類に応じて収納場所を設定された固定領域を備え、
該固定領域のいずれかの収納場所に予め設定された薬剤以外の薬剤が収容された薬剤容器が装着された場合、前記表示手段にエラー表示させることを特徴とする請求項１に記載の薬剤包装装置。
【請求項１４】
分包中に、前記薬剤収納棚から薬剤容器が取り外されると、前記表示手段に配列画面を表示すると共に、該配列画面の該当領域に表示される薬剤名称を非表示とすることを特徴とする請求項１に記載の薬剤包装装置。
【請求項１５】
前記薬剤収納棚から取り外された薬剤容器に、現在分包中の薬剤が収容されている場合、前記配列画面とは別にエラー表示させるようにしたことを特徴とする請求項１２に記載の薬剤包装装置。
【請求項１６】
前記薬剤容器の収納場所が変更されると、前記収納場所探査手段により薬剤容器の収納場所を再探査し、前記表示手段に探査結果を配列画面として再表示させるようにしたことを特徴とする請求項１に記載の薬剤包装装置。
【請求項１７】
前記表示手段に表示する配列画面を、前記薬剤収納棚の各収納場所に装着可能な薬剤容器を設定するための設定画面としたことを特徴とする請求項１に記載の薬剤包装装置。
【発明の詳細な説明】
【０００１】
【発明の属する技術分野】
本発明は、薬剤包装装置に関するものである。
【０００２】
【従来の技術】
従来、薬剤包装装置として、薬剤名、患者名、処方箋番号、処方年月日、錠数、包装数等を表示するようにした表示装置を備えたものがある（例えば、特開昭６０−８２１３０号公報、特許第２９３３８３７号公報参照）。
【０００３】
【発明が解決しようとする課題】
しかしながら、前記薬剤包装装置では、画面には薬剤名等の文字データが表示されるだけであり、どの薬剤がどの薬剤容器に収容され、その薬剤容器がどの位置に配置されているのかまで把握することは困難である。また、処方データの入力はキーボードを使用した１種類の入力方法しか備えていない。
【０００４】
そこで、本発明は、薬剤の収容状態を一目で把握でき、操作性が良い上、処方データの入力も可能な表示装置を備えた薬剤包装装置を提供することを課題とする。
【０００５】
【課題を解決するための手段】
本発明は、前記課題を解決するための手段として、薬剤包装装置を、
薬剤が収容されると共に薬剤識別部を備えた複数の薬剤容器をそれぞれ収納する薬剤収納棚と、
処方データに含まれる薬剤を、前記薬剤容器から供給する薬剤供給手段と、
該薬剤供給手段から供給される薬剤を包装する薬剤包装手段と、
前記薬剤容器の薬剤識別部から薬剤データを読み取る読取手段と、
前記薬剤容器の収納場所を探査する収納場所探査手段と、
前記読取手段により読み取った薬剤データ、及び、前記収納場所探査手段により探査した収納場所を記憶する記憶手段と、
前記薬剤容器の配列に対応させた複数の領域からなる配列画面を表示する表示手段と、
前記記憶手段に記憶した薬剤データおよび収納場所に基づいて、前記表示手段に表示させた配列画面の各領域に対応する薬剤名称を割り当てて表示させる制御手段と、
を備えた構成としたものである。
【０００６】
この構成により、配列画面から、どの薬剤がどの場所の薬剤容器に収容されているのかを一目で把握することができる。読取手段によって薬剤識別部から薬剤データを読み取られることにより、配列画面の該当領域に薬剤名称を表示させるので、誤って表示されることがなく、薬剤のチェックを確実に行うことが可能である。また、包装処理を開始する前に、実際に供給しようとしている薬剤が収容された薬剤容器がセットされているか否かを判断することが可能となる。
【０００８】
好ましくは、処方データが入力されることにより、前記表示手段に表示した配列画面の各領域のうち、供給処理の対象となる薬剤が収容された薬剤容器に対応する領域を強調表示するようにしたものである。これにより、誤って包装処理前のものを取り外してしまうといった不具合を防止することが可能となる。
【０００９】
好ましくは、前記表示手段に表示した配列画面の各領域には、薬剤名称を表示する領域のほかに、前記用法入力手段によって入力された用法を表示する服用データ欄を表示可能とし、前記制御手段は、前記服用データ欄に、前記用法入力手段により入力された用法データを表示させるようにしたものである。これにより、所望の薬剤を所定の用法通りに確実に払い出すことが可能となる。
【００１０】
好ましくは、前記収納場所探査手段により、前記薬剤収納棚に薬剤容器を取り付け又は取り外した状態を検出し、前記表示手段は、該当する薬剤容器に対応する領域の薬剤名称を表示又は消去する。これにより、薬剤容器の着脱状態を的確に把握することができる。
【００１１】
好ましくは、前記収納場所探査手段によって該当する薬剤が収容された薬剤容器を検出できない場合、前記表示手段は、前記配列画面とは別に、他の薬剤名称を選択可能に表示させる。これにより、交換可能な薬剤の把握を容易に行うことが可能となる。
【００１２】
好ましくは、処方データに、同一用法パターンの薬剤データが複数含まれる場合、前記表示手段に表示する配列画面のうち、該当する薬剤が収容された薬剤容器に対応する全領域を他の領域と識別可能に表示し、かつ、前記配列画面とは別に表示した錠数入力キーにより、前記同一の用法パターンを一度に変更可能とする。これにより、さらに操作性を向上させることが可能となる。
【００１３】
好ましくは、前記薬剤収納棚に薬剤容器が着脱されることにより、前記表示手段に、前記配列画面を優先表示させる。これにより、操作の手間が省ける。
【００１４】
好ましくは、前記記憶手段に記憶した薬剤データから算出した薬剤の使用期限に基づいて、前記表示手段に警告表示可能とする。
【００１５】
好ましくは、前記表示手段に、処方データに含まれる未包装の薬剤に対応する全領域を強調表示させる。これにより、交換可能な薬剤容器を容易に特定することができる。
【００１６】
好ましくは、前記薬剤収納棚とは別に交換薬剤容器保管棚を設け、前記薬剤収納棚に収納される薬剤容器のうち、処方データに含まれる未包装の薬剤が収容されたものを除いて、前記交換薬剤容器保管棚に近い順に交換可能な場所を前記表示手段に表示させる、これにより、薬剤容器を交換する際の作業性を向上させることができる。
【００１７】
好ましくは、前記薬剤収納棚は、予め薬剤容器に収容される薬剤の種類に応じて収納場所を設定された固定領域を備え、該固定領域のいずれかの収納場所に予め設定された薬剤以外の薬剤が収容された薬剤容器が装着された場合、前記表示手段にエラー表示させる、これにより、誤装着を未然に防止可能となる。
【００１８】
好ましくは、分包中に、前記薬剤収納棚から薬剤容器が取り外されると、前記表示手段に配列画面を表示すると共に、該配列画面の該当領域に表示される薬剤名称を非表示とする。これにり、画面上で、どの薬剤容器が外されたのかを的確に把握することが可能となる。
【００１９】
好ましくは、前記薬剤収納棚から取り外された薬剤容器に、現在分包中の薬剤が収容されている場合、前記配列画面とは別にエラー表示させる。これにより、分包作業に支障を来たすことなく、分包中の薬剤容器の着脱が可能となる。
【００２０】
好ましくは、前記薬剤容器の収納場所が変更されると、前記収納場所探査手段により薬剤容器の収納場所を再探査し、前記表示手段に探査結果を配列画面として再表示させる。これにより、入力作業の手間を省くことが可能となる。
【００２１】
好ましくは、前記表示手段に表示する配列画面を、前記薬剤収納棚の各収納場所に装着可能な薬剤容器を設定するための設定画面とする。これにより、操作性が良くなり、設定作業を短時間で行うことが可能となる。
【００２２】
【発明の実施の形態】
以下、本発明に係る実施形態を添付図面に従って説明する。
【００２３】
図１は本発明に係る薬剤包装装置を示す。この薬剤包装装置は、錠剤収納棚１、散薬処理部２、包装装置３、表示装置４、及び制御装置５を備えている。
【００２４】
錠剤収納棚１には、マトリックス（matrix）状に複数の錠剤フィーダ(feeder)３４が設けられ、そこには薬剤容器の一例である多数の錠剤カートリッジ(cartridge)１１がそれぞれ着脱自在となっている。
【００２５】
各錠剤カートリッジ１１は、図２及び図３に示すように、摺鉢状の底を備えた錠剤を収容するケース１２と、このケース１２の底に回転自在に取り付けられ外周に複数の錠剤ポケット１３を有するロータ（rotor）１４と、前記ケース１２を着脱可能に蓋する蓋体１５とからなる。また、錠剤カートリッジ１１には、図２及び図４に示すように、内部に収容された錠剤を識別する薬剤識別部１６が設けられている。薬剤識別部１６は、反射板からなり、錠剤フィーダ３４の読取装置４０のそれぞれの発光素子４０ａからの光を反射する部分と反射しない部分（図４において○で示す）を設けることにより錠剤を識別する。
【００２６】
各錠剤フィーダ３４は、図２（Ｂ）に示すように、錠剤カートリッジ１１が装着される際、錠剤カートリッジ１１のロータ１４の軸とギヤ３６を介して連結される駆動モータ３７と、錠剤カートリッジ１１から排出される錠剤を中央通路３８に導くシュート３９とが設けられている。
【００２７】
また、各錠剤フィーダ３４には、本発明に係る読取手段である読取装置４０と、本発明に係る装着場所表示手段である表示ランプ４１とが設けられている。読取装置４０は、錠剤カートリッジ１１の薬剤識別部１６と対応する位置に配置され、薬剤識別部１６から錠剤データを読み取る。読取装置４０は、前記錠剤カートリッジ１１が錠剤フィーダ３４に装着されたときに錠剤カートリッジ１１の薬剤識別部１６の反射板に光を送る発光素子４０ａと、この反射板で反射した光を受ける受光素子４０ｂとを一体化した複数のユニットからなる。
【００２８】
なお、錠剤収納棚１の収納場所は、上方側複数段（図１では４段）の固定領域と、最下段の自由領域とで構成されている。固定領域には頻繁に使用される薬剤が収容された錠剤カートリッジ１１が装着される。このため、固定領域の各収納場所に装着する錠剤カートリッジ１１の種類は殆ど変更されることはない。自由領域には、特殊薬剤等の使用頻度の少ない薬剤が収容された錠剤カートリッジ１１が装着される。
【００２９】
散薬処理部２は、分配皿の外周部に形成した円周溝に散薬を均等に収容し、１包分ずつ掻き出すようにしたタイプ等の従来周知の構成である。この散薬処理部２は、図３０に示すように、散薬瓶２１から薬剤を投入する２つの投入ホッパ４２ａ，４２ｂを備えている。投入ホッパ４２ａ，４２ｂには、散薬の存在を検出するセンサ４７ａ，４７ｂと、散薬が存在するときに点灯するランプ４８ａ，４８ｂとを備えている。各散薬瓶２１は、その底に薬剤識別部２６を有している。散薬瓶２１は、錠剤収納棚１とは別に設けられた散薬保管棚１０２に保管されている。散薬保管棚１０２には、散薬瓶２１の薬剤識別部２６を読み取る読取装置２８と、制御装置４により必要な散薬瓶２１が探査されたときに点灯する表示ランプ２７を有している。散薬瓶２１は、薬剤師によって散薬保管棚１０２から取り出され、検薬装置２９によって検薬される。散薬瓶２１の散薬は、処方に応じて調剤されて処方容器Ｂに移される。処方容器Ｂの散薬は、前記投入ホッパ４２ａ，４２ｂに投入され、散薬処理部２で１包分ずつ分割され、包装装置３で包装されるようになっている。
【００３０】
包装装置３は、図１に示すように、包装紙５０を長手方向に２つ折りし、供給された錠剤及び／又は散薬を１包分ずつ投入した後、ヒートシール装置５１によって包装して外部に排出する従来周知のものである。
【００３１】
表示装置４は、例えば、タッチパネルで構成されている。初期画面には、図５に示すように、業務開始キー、設定キー、印刷設定キー、充填・統計キー、業務終了キーからなるメニュー画面が表示される。
【００３２】
図５のメニュー画面の業務開始キーを操作すると、図６に示す包装モニタ画面が表示される。
【００３３】
包装モニタ画面は、引換券番号、患者ＩＤ、ふりがな、患者氏名、用法、包数、病棟、診療科、受付日付、受付時刻、処方データ表示枠、データ表示欄、ＤＯ処方選択キー、順序キー、入力キー、詳細キー、一括キー、パネルキー、終了キーで構成されている。データ表示欄の各欄には、包装機で包装予定のデータが表示される。また、データ表示欄に表示された患者名のうち、選択されたものの左側に「★」印が表示され、画面の右上に、処方する薬品（薬剤）名及び用法データが一覧表で表示される。
【００３４】
包装モニタ画面で、入力キーを操作すると、図７に示す処方入力画面が表示される。処方入力画面は、フォーマット欄、患者ＩＤ欄、患者名欄、診療科欄、病棟名欄、用法欄、包数欄、カセット選択キー、手撒き入力キー、連続キー、発行キー、割込キー、取消キー、イメージキー、行挿入キー、行削除キー、一括登録キー、戻るキーで構成されている。処方入力画面の空欄には、処方箋の記載事項に基づいて、患者データ、薬品データ、用法データ等の処方データを入力する。
【００３５】
フォーマット欄の選択キー「▼」を操作すると、予め、後述する図１４に示すマスターメンテナンス画面で登録した印字設定内容を選択することができる。
【００３６】
患者ＩＤ欄の選択キー「▼」を操作すると、予め登録した患者ＩＤ、患者名（漢字、カナ）が一覧表示されるので、簡単に所望の患者を選択することができる。患者ＩＤは、「誕（birth  day）」キーを操作して生年月日を入力したり、空欄に患者名を入力することによっても選択することができる。また患者名を入力すれば、入力途中で自動的に文字検索され、該当する氏名が全てリストとしてポップアップ表示されるので、そのリスト中から選択することができる。患者ＩＤが入力されると、自動的に患者名欄に漢字及びカナで患者名が表示される。また診療科欄、病棟名欄、用法欄の各選択キー「▼」を操作すれば、対応するリストがポップアップ表示されるので、その中から簡単に選択することができる。用法を選択すれば、該当するキー（「朝」、「昼」、「夕」）が反転表示され、記憶させたデータが変更される。キーの表示は、操作により「漢字用法」と「かな用法」に切り替わるキーの操作によって表記を漢字とかなとに切り替えることができる。但し、表記方法の変更は他のキーについて行えるようにしてもよい。
【００３７】
薬品欄は、薬品コード、薬品名、用量、単位、服用時期の各列で構成されている。薬品コードの空欄には、コード番号を直接入力でき、又この空欄を操作して欄内右側に表示させた選択キー「▼」を操作し、登録した薬品リストをポップアップ表示させ、この表示内容から選択することも可能である。新規に薬品（薬剤）を登録する場合には、薬品コードの空欄にコード番号を直接入力すると、薬品登録画面がポップアップ表示されるので、表示内容（薬品名、単位コード、剤形等）に従って諸情報を入力することが可能である。
【００３８】
また、カセット選択キーを操作することによっても用法データを入力することができる。すなわち、カセット選択キーを操作すると、前記処方入力画面から、図８に示すカセット選択画面に切り替わる。
【００３９】
カセット選択画面は、配列画面、決定キー、臨時変更キー、臨時初期化キー、戻るキーで構成されている。
【００４０】
前記図８に示す配列画面は、錠剤収納棚１の各錠剤カートリッジ１１に対応するように表示した薬剤容器の配列図と、配列図の各薬剤容器に対応する領域に表示した薬剤名称と、服用データ欄（図８の薬剤名「アスパラ」では１１１０となっている。）とで構成されている。薬剤名称は、各錠剤カートリッジ１１の薬剤識別部（錠剤識別部１６）を読取装置４０で読み取ることにより、実際の薬剤容器に対応する領域に、実施に収容されている薬剤の薬剤名称が表示される。薬剤名称が表示される領域を操作すると、図９に示すように、その領域が反転表示されると共に、薬剤数入力画面がポップアップ表示される。また、薬剤容器を取り外せば、該当領域の薬剤名称は消去される。
【００４１】
なお、配列画面は、前記錠剤収納棚１の収納場所に対応した複数の領域（セル）からなり、最下段は、他の薬剤に交換可能な自由領域に対応している。前記図８に示す配列画面で、臨時変更キーを操作すると、図１０に示すように、変更可能な薬剤名称がポップアップ表示される。表示された薬剤名称をクリックすると、図１１に示すように、薬剤名称が一覧表示されるので、変更を希望する薬剤名称を簡単に選択することができる。
【００４２】
また、配列画面には、図１に示すように、錠剤収納棚１の各棚に錠剤カートリッジ１１を固定するタイプのものについて表示するようにしているが、収納棚が円筒形で回転式のタイプであれば、正面に見える部分のみを配列画面に表示することもできる。この場合、収納棚が回転することにより、配列画面での表示を順次変化させればよい。
【００４３】
前記図９に示す薬剤数入力画面は、服用時期（朝、昼、夕、眠）、薬剤数を入力するための空欄、ＵＰキー（▲）、ＤＡＷＮキー（▼）、確定キー、Ｃｌｅａｒキー、取り消しキーで構成されている。各空欄には、ＵＰキー（▲）、ＤＡＷＮキー（▼）又は図示しないテンキーによって薬剤数を入力する。Ｃｌｅａｒキーにより空欄を全て０にリセットでき、取り消しキーにより薬剤数入力画面を消去することができる。薬剤数の入力が完了すれば、確定キーを操作することにより用法データを確定することができる。
【００４４】
図８に示す配列画面で、決定キーを操作すると、薬剤数入力画面で入力した用法データを前記薬品欄に反映することができる。臨時変更キーを操作すると、収納棚１から交換可能な薬剤の一覧表がポップアップ表示される。臨時初期化キーを操作すると、配列画面の最下段の表示が初期表示に切り替わる。戻るキーを操作すると、処方入力画面に切り替わる。
【００４５】
前記図７に示す処方入力画面で、手撒き入力キーを操作すると、図１２に示すように、散薬と錠剤の手撒きパターン表がポップアップ表示されるので、手撒きを希望する服用時期を選択すればよい。
【００４６】
また、前記図７に示す処方入力画面で、連続キーを操作すると、特定の患者に対して連続的に処方データの入力が可能となる。発行キーを操作すると、入力した処方データが包装モニタ画面の薬品欄に反映される。割込キーを操作すると、優先する他の患者の処方データを入力することが可能となる。なお、入力したデータは取消キーで消去することができる。
【００４７】
前記図６に示す包装モニタ画面で、ＤＯキーを操作すると、図１３に示すように、ＤＯ処方画面に切り替わる。この画面で表示されるのは、既に処方済みの患者について登録されたデータで、再利用あるいは一部修正して利用する場合に使用する。
【００４８】
前記図１３に示すＤＯ処方画面は、処方の対象となる患者を絞り込むための絞り込み欄、患者名及び用法名からなる一覧表、選択キー、発行キー、検索欄、削除キー、戻るキーで構成されている。
【００４９】
絞り込み欄は、患者ＩＤと診療科を入力可能となっている。患者ＩＤの入力はテンキー等で直接入力できるほか、選択キーを操作することにより患者ＩＤ及び患者名の一覧表をポップアップ表示させ、その中から選択することによっても行うことが可能である。また、診療科の入力も同様に、直接入力及びポップアップ表示によって行うことが可能である。診療科の入力のみで、絞込キーを操作すれば、該当する全患者について一覧表に表示することも可能である。入力された患者ＩＤや診療科は解除キーを操作することによってリセットすることができる。一覧表の表示は、患者ＩＤ、患者名のほか、用法・日数キーの操作によって表示可能となる用法名及び用法日数、あるいは、診療科・引換券・日時キーの操作によって表示可能となる診療科、引換券、処理日時が含まれる。選択キーを操作すると、処方データ画面に切り替わり、前回の処方内容が詳細に表示される。処方データ画面では、前記同様、処方内容を変更することが可能である。発行キーを操作すると包装モニタ画面に戻った際、データ表示欄に選択された患者名等が追加される。検索欄では、患者ＩＤ又は患者名（カナ）を空欄に入力し、検索キーを操作すると、一覧表の該当する患者の行が識別表示される（色が変わる）。削除キーを操作すると、選択した行のデータが削除される。戻るキーを操作することにより、包装モニタ画面に復帰する。
【００５０】
前記図６に示す包装モニタ画面で、詳細キーを操作すると、選択した患者の過去の処方データの内容が詳細に表示される。一括キーを操作すると、処方データを一括で入力することができる。パネルキーを操作すると、入力したデータを削除することができる。なお、終了キーを操作することにより初期画面に切り替わる。
【００５１】
図５に示すメニュー画面で設定キーを操作すると、図１４〜図２３に示すマスターメンテナンス画面に切り替わる。マスターメンテナンス画面では、上部に、患者登録タブ、診療科登録タブ、用法登録タブ、一括コード登録タブ、薬品登録タブ、病棟登録タブ、コメント登録タブ、単位コード登録タブ、実装薬品登録タブ、薬剤師登録タブを備える。また、下部に、検索キー、新規キー、登録キー、削除キー、印刷キー、終了キーを備える。検索キーは、空欄にデータを入力した状態で操作することにより、該当するデータが一覧表の最上部に表示させることができる。新規キーは、新規にデータを入力する場合に使用する。新規キーの操作により一覧表に空欄の行を挿入でき、新規データを入力した後、登録キーを操作すれば、データを更新することができる。また、削除対象となる行を選択し、削除キーを操作すれば、ポップアップウインドウ（「選択したデータを削除しますか？」）が表示され、「ＹＥＳ」を操作することにより、選択したデータを消去することができる。
【００５２】
患者登録タブを操作すると、図１４に示す患者名等が一覧表示される。上部の表示順に記載されたいずれかの項目を選択することにより、患者ＩＤ、患者名カナ、あるいは生年月日の降順（又は昇順）でデータを並び替えることができる。下部の空欄は、その上の患者ＩＤ、患者名カナ、あるいは生年月日のいずれかを選択した状態で、患者名等を入力して検索キーを操作すれば、表示欄の最上部に検索対象を表示させることができる。
【００５３】
診療科登録タブを操作すると、図１５に示す診療科コード及び診療科名の一覧表からなる診療科登録画面が表示される。
【００５４】
用法登録タブを操作すると、図１６に示すように、用法番号及び用法名の一覧表からなる用法登録画面が表示される。この画面で登録されたデータは、例えば、薬剤包装機の包装順序を服用順に行うために制御データとして利用したり、印刷データを作成するために利用される。
【００５５】
一括コード登録タブを操作すると、図１７に示す一括コード登録画面が表示される。この画面は、一括して処方データを入力する場合に利用する。
【００５６】
薬品登録タブを操作すると、図１８に示す薬品登録リストからなる薬品登録画面が表示される。薬品登録リストは、薬品コード、薬品名、在庫上限量、単位コード、単位、種別、棚番、識別、略称、刻印、ＪＡＮコード、管理フラグから構成されている。薬品コードは各薬品（薬剤）毎に設定したコード番号である、薬品名は薬品（薬剤）の名称を意味する。在庫上限量とは、カートリッジ１１に収容可能な薬剤の上限数量を意味する。単位コードとは、薬剤毎に一意なコードで、薬剤師が入力しやすいように、薬剤の略称を短縮したコードを意味する。例えば、外用剤Ｃ（Medicine  C  for  External  Use）であれば、その読み「ガイヨウザイシー」から「カイヨシ（ＥＸＴ．Ｃ）」とする。単位とは、薬剤を調剤する場合の単位の名称である。「カプセル」にはＣＡＰ、「錠」にはＴ、「グラム」にはｇ、「ミリリットル」にはｍｌ等を使用している。種別とは、薬剤の形態を意味し、ここでは錠剤と散薬が開示されている。棚番とは、錠剤カートリッジ１１が配置される各錠剤フィーダ３４の棚番号である。識別とは、錠剤カートリッジ１１の識別番号である。略称とは、薬剤の略称である。刻印とは、錠剤に形成される識別用の印である。ＪＡＮコードは、前記棚番に対応し、検索する際に利用する。管理フラグは、劇薬等の管理が必要な薬剤に目印用として利用する。
【００５７】
病棟登録タブを操作すると、図１９に示す病棟名からなる病棟登録画面が表示され、登録、削除、変更等を自由に行うことができる。
【００５８】
コメント登録タブを操作すると、図２０に示すコメントからなるコメント登録画面が表示され、薬包に印刷するための印刷データを登録することができる。
【００５９】
単位コード登録タブを操作すると、図２１に示す単位コード及び単位名からなる単位登録画面が表示される。
【００６０】
実装薬品登録タブを操作すると、図２２に示すように、実装薬品リストからなる実装薬品登録画面が表示される。実装薬品リストは、薬品コード、薬品名、在庫上限量、適正在庫量、棚番号、ロット番号、使用期限で構成されている。ここで、登録した使用期限に基づいて、実際の処方時期で、期限切れあるいは期限間近であることが判断される。
【００６１】
薬剤師登録タブを操作すると、図２３に示す薬剤師登録リストからなる薬剤師登録画面が表示される。
【００６２】
図５に示すメニュー画面で、印刷設定キーを操作すると、図２４に示す薬包印字フォーマット登録画面が表示される。この画面では、上部のフォーマット欄で予め登録したフォーマットのいずれかを選択し、明細キーを操作すると、登録したフォーマットに対応する印刷画面が表示される。
【００６３】
図５に示すメニュー画面で充填・統計キーを操作すると、図２５に示す選択画面が表示される。選択画面は、錠剤充填業務キー、充填記録集計キー、薬品使用量集計キーを備える。錠剤充填業務キーを操作すると、図２６に示す充填業務画面が表示される。充填業務画面は、棚番、薬品コード、薬品名、ＪＡＮコード、在庫量、充填量、在庫上限量、適正在庫量、ロット番号、及び使用期限からなる一覧表と、充填キー、一括充填キー、充填数計算キー、印刷キー、全薬品表示キー、及び終了キーからなる各種キーとで構成されている。充填記録集計キーを操作すると、図２７に示す帳票リストが表示される。帳票リストは、薬剤師コード、薬剤師名、充填日付、充填時間、薬剤名、充填量、ロット番号、使用期限等で構成されている。薬品使用量集計キーを操作すると、図２８に示す帳票が表示される。なお、業務終了キーを操作することにより処理が終了する。
【００６４】
制御装置５は、図２９，図３０に示すように、収納場所記憶部６３と、装着場所記憶部６４と、適正装着場所記憶部６５と、中央演算処理部（ＣＰＵ）６６とからなっている。制御装置５には、状況に応じてホストコンピュータ６７に接続し、該ホストコンピューター６７から主要な処方データを受信するようにしてもよい。このように、処方データをホストコンピューター６７より受信すると、前述した薬品登録リストやマスターメンテナンス情報等を必要に応じて更新することができる。また、患者ＩＤ と診療科等の入力を省略することができるため、本機において入力する情報が少なくなり、操作性が向上する。
【００６５】
収納場所記憶部６３は、前記錠剤収納棚１（図２９参照）における錠剤カートリッジ１１の収納場所を記憶しておくものである。
【００６６】
装着場所記憶部６４は、前記各錠剤カートリッジ１１がいずれの錠剤フィーダ３４に装着されているかを記憶しておくものである。
【００６７】
適正装着場所記憶部６５は、錠剤には落下した時の撥ね易さや、斜面の滑り易さ、転がり易さ等の属性が存在するので、装着位置から包装位置に到達するまでの時間が異なり、包装速度に影響を与える。そこで、本実施形態では、各錠剤の属性に応じた適正装着場所（上下方向）が予め設定され記憶されている。
【００６８】
中央演算処理部（ＣＰＵ）６６は、錠剤カートリッジ１１の収納場所、装着場所を管理すると共に、錠剤フィーダ３４、包装装置３等を駆動制御する。
【００６９】
次に、前記薬剤包装装置の動作について説明する。但し、以下の説明では、本発明の特徴部分である表示装置３に於ける表示内容についてのみ言及する。
【００７０】
まず、初期のメニュー画面（図５）で、設定キーを操作することによりマスターメンテナンス画面（図１４〜２３）を開き、予め、患者データや用法、病棟等の必要となるデータを登録しておく。患者、薬剤等の新規データであれば、マスターメンテナンス画面（図１４〜２３）での登録が必要である。
【００７１】
（新規入力処理）  ある患者の処方箋に基づいて処方データを入力する場合、初期メニュー画面（図５）で業務開始キーを操作して包装モニタ画面（図６）に切り替える。
【００７２】
処方データが未登録であれば、入力キーを操作して処方入力画面（図７）に切り替える。処方入力画面（図７）では、まず、患者ＩＤ欄で、前記マスターメンテナンス画面（図１４〜２３）で登録した患者データから該当するものを選択し、診療科、病棟名、用法を順次入力する。そして、薬品欄で薬品コード及び薬品名を選択し、服用量及び服用時期を入力する。このとき、用法を選択することにより服用時期が決定されているので、他の服用時期には入力ができなくなっている。したがって、誤入力を確実に回避することが可能である。
【００７３】
また、薬品欄で、直接、服用量及び服用時期を入力する代わりに、カセット選択キーを操作して配列画面（図８）に切り替えれば、どの薬剤がどの位置に配置した錠剤カートリッジ１１に収容されているのかを把握しながら服用データの入力を行うことが可能となる。したがって、実際に包装処理の開始後に該当する薬剤がセットされていないといった不具合の発生を未然に防止することができる。この場合も、前記薬品欄と同様に、選択された用法によって薬剤数入力画面（図９）で入力可能な服用時期が制限される。
【００７４】
このように処方入力画面（図７）において所定データの入力が完了すれば、発行キー、割込キー、イメージキー、行挿入キー、行削除キー、及び一括登録キーの操作が可能となる。発行キーを操作すると、包装モニタ画面（図６）に切り替わり、データ表示欄に入力した患者データが表示されると共に、画面右上の処方データ表示枠に服用データが表示される。割込キーを操作すると、他の患者のデータを優先して入力することができる。イメージキーを操作すると、薬袋に印刷する際の印刷イメージが表示される。行挿入キーの操作で処方する薬剤の追加が可能であり、行削除キーの操作で入力した薬剤の削除が可能である。また一括登録キーの操作により薬品欄に入力したデータの登録が可能である。
【００７５】
（入力データ再利用）  過去に登録済みの処方データを再利用できる場合、すなわち処方箋の内容が同じである場合には、包装も似た画面（図６）のＤＯキーを操作してＤＯ画面（図１３）に切り替える。ＤＯ画面（図１３）では既に処方済みの登録データが一覧表示されるので、絞り込みキーや検索キー等を使用して該当するデータを選択する。データを選択する毎に発行キーを操作し、戻るキーを操作して包装モニタ画面（図６）に切り替えれば、データ表示欄に選択した全データが一覧表示される。また、データの変更が必要な場合には、選択キーを操作して処方入力画面（図７）を表示させ、前記同様にしてデータの入力を行えばよい。このように、既に登録した処方済みのデータを再利用することにより、新たにデータ入力する手間を省略して、作業効率を大幅に向上させることが可能となる。
【００７６】
以上のようにして処方データの入力を行うと、前記配列画面（図８）では、供給処理の対象となる薬剤が収容された薬剤容器に対応する領域が強調表示される。したがって、誤って包装処理前のものを取り外してしまうといった不具合を防止できる。
【００７７】
また、使用期限の近付いたあるいは過ぎた薬剤については、処方入力画面において、図３１に示すように、使用期限切れもしくは使用期限間近である旨の警告表示を行う。これにより、使用期限が切れたか切れそうな薬剤を処方してしまうといった不具合を防止することができる。
【００７８】
なお、前記実施形態では、錠剤収納棚１に未装着の薬剤については触れなかったが、錠剤収納棚１に隣接して保管棚１０１を設けるようにしてもよい。
【００７９】
保管棚１０１の各保管場所には、読取装置１７が埋設されると共に、表示ランプ１８が正面から視認可能に取り付けられている。前記読取装置１７は、発光素子１７ａと受光素子１７ｂを一体にした複数のユニットからなる。そして、錠剤カートリッジ１１が保管場所に装着されたとき、発光素子１７ａから放射した光を錠剤カートリッジ１１の薬剤識別部１６の反射板で反射させて受光素子１７ｂで受光することにより錠剤データを読み取る。
【００８０】
このような保管棚を設けた場合、表示装置４に表示した配列画面（図８）では、全ての処方データに含まれる薬剤を供給する薬剤容器に対応する領域を強調表示し、他の領域のうち、前記保管棚に近いものから順に交換可能である旨を表示すると、交換作業を効率的に行うことが可能となる点で好ましい。
【００８１】
また、前記実施形態では、図８に示す配列画面で、臨時変更キーをクリック操作することにより、最下段の自由領域に位置する錠剤カートリッジ１１のみを交換可能としたが、図３２に示す配列画面で、全ての薬剤容器について交換可能としてもよい。図３２中、薬剤容器の交換を希望する収納場所に対応するセルを右クリックすると、表示されている薬剤名称が反転表示され、キーボード等により直接書換可能となる。但し、前記セルを右クリックすること等により、登録されている薬剤名称をポップアップ表示させ、その中から選択した薬剤名称にセル内の表示を書き換えるようにしてもよい。
【００８２】
配列画面（図３２）で設定した薬剤名称とは異なる薬剤を収容した薬剤容器が装着されると、図３３に示すエラー情報がポップアップ表示される。装着された薬剤容器が正しいか否かは、予め登録した識別コードと、読取装置１７で読み取った薬剤容器の識別コードが一致するか否かで判断する。また、薬剤収納棚１の該当する収納場所の表示ランプ１８を点滅させる（さらに、ブザー等により知らせるようにしてもよい。）。これにより、薬剤容器の誤装着が防止される。また、分包作業が開始された後、薬剤収納棚１から薬剤容器が取り外されると、前記図３２に示す配列画面が表示され、該当するセルの表示が消去される。さらに、実装されていない薬剤容器に収容される薬剤を処方した場合、画面に図３４に示す臨時薬剤容器の実装指示画面がポップアップ表示される。
【００８３】
また、前記実施形態では、薬剤容器として錠剤カートリッジ１１について説明したが、カプセル剤等、他の薬剤を収容した容器であっても同様に採用することが可能である。
【００８４】
【発明の効果】
以上の説明から明らかなように、本発明によれば、表示手段に薬剤容器の配列図の該当領域に薬剤名称を割り当てた配列画面を表示するようにしたので、実際の薬剤の配置状態を確認しつつ所望の薬剤を選択することができる。したがって、薬剤のチェックが容易で操作性に優れ、その後の包装処理をスムーズに行わせることが可能となる。
【図面の簡単な説明】
【図１】  本発明の薬剤包装装置の第１実施例を示す正面図である。
【図２】  （Ａ）は錠剤カートリッジ及び錠剤収納棚の断面図、（Ｂ）は錠剤フィーダの断面図である。
【図３】  錠剤カートリッジ及び錠剤フィーダの斜視図である。
【図４】  錠剤カートリッジの底面図である。
【図５】  メニュー画面を示す図である。
【図６】  包装モニタ画面を示す図である。
【図７】  処方入力画面を示す図である。
【図８】  配列画面を示す図である。
【図９】  薬剤数入力画面を示す図である。
【図１０】  図８で、臨時変更キーを操作した状態を示す図である。
【図１１】  図１０で、薬剤名称を操作した状態を示す図である。
【図１２】  手撒きパターン表を示す図である。
【図１３】  ＤＯ処方画面を示す図である。
【図１４】  マスターメンテナンス画面で患者登録タブを操作した状態を示す図である。
【図１５】  マスターメンテナンス画面で診療科登録タブを操作した状態を示す図である。
【図１６】  マスターメンテナンス画面で用法登録タブを操作した状態を示す図である。
【図１７】  マスターメンテナンス画面で一括コード登録タブを操作した状態を示す図である。
【図１８】  マスターメンテナンス画面で薬品登録タブを操作した状態を示す図である。
【図１９】  マスターメンテナンス画面で病棟登録タブを操作した状態を示す図である。
【図２０】  マスターメンテナンス画面でコメント登録タブを操作した状態を示す図である。
【図２１】  マスターメンテナンス画面で単位コード登録タブを操作した状態を示す図である。
【図２２】  マスターメンテナンス画面で実装薬品登録タブを操作した状態を示す図である。
【図２３】  マスターメンテナンス画面で薬剤師登録タブを操作した状態を示す図である。
【図２４】  薬包印字フォーマット登録画面を示す図である。
【図２５】  充填・統計の選択画面を示す図である。
【図２６】  充填業務画面を示す図である。
【図２７】  帳票リストを示す図である。
【図２８】  帳票を示す図である。
【図２９】  錠剤処理動作を示すブロック図である。
【図３０】  散薬処理動作を示すブロック図である。
【図３１】  図６に示す包装モニタ画面で警告表示を行った状態を示す図である。
【図３２】  他の実施形態に係る配列画面を示す図である。
【図３３】  図３２の配列画面にポップアップ表示されるエラー情報画面である。
【図３４】  図３２の配列画面にポップアップ表示される臨時薬剤容器の実装指示画面である。
【符号の説明】
１…錠剤収納棚
２…散薬収納部
３…包装装置
４…表示装置
５…制御装置
１１…錠剤カートリッジ（薬剤容器）
１６…錠剤識別部（薬剤識別部）
１７…読取装置
２７…受信器（読取手段）
３４…錠剤フィーダ（薬剤供給手段）
４０…読取装置
６３…収納場所記憶部
６５…適正装着場所記憶部
６６…中央演算処理部（探査手段検薬手段）
６８…分包条件記憶部
【図１】
0004360790.tif 000002
【図２】
0004360790.tif 000003
【図３】
0004360790.tif 000004
【図４】
0004360790.tif 000005
【図５】
0004360790.tif 000006
【図６】
0004360790.tif 000007
【図７】
0004360790.tif 000008
【図８】
0004360790.tif 000009
【図９】
0004360790.tif 000010
【図１０】
0004360790.tif 000011
【図１１】
0004360790.tif 000012
【図１２】
0004360790.tif 000013
【図１３】
0004360790.tif 000014
【図１４】
0004360790.tif 000015
【図１５】
0004360790.tif 000016
【図１６】
0004360790.tif 000017
【図１７】
0004360790.tif 000018
【図１８】
0004360790.tif 000019
【図１９】
0004360790.tif 000020
【図２０】
0004360790.tif 000021
【図２１】
0004360790.tif 000022
【図２２】
0004360790.tif 000023
【図２３】
0004360790.tif 000024
【図２４】
0004360790.tif 000025
【図２５】
0004360790.tif 000026
【図２６】
0004360790.tif 000027
【図２７】
0004360790.tif 000028
【図２８】
0004360790.tif 000029
【図２９】
0004360790.tif 000030
【図３０】
0004360790.tif 000031
【図３１】
0004360790.tif 000032
【図３２】
0004360790.tif 000033
【図３３】
0004360790.tif 000034
【図３４】
0004360790.tif 000035